(57)【要約】【課題】ガス採取装置において、採取するガス中のダストやタール分を除去するためのフィルタを効率的に洗浄できるようにしてメンテナンス性を向上させるとともにランニングコストを低減すること。【解決手段】ガスを採取するガス採取管１と、ガス採取管１の内部に配置された筒状のフィルタ２とを有するガス採取装置において、フィルタ２を洗浄する逆流ガスをフィルタ２の内側と外側にそれぞれ吹き付けてフィルタ２の付着物を吹き飛ばすブラスタ手段４、５を設けた。逆流ガスをフィルタ２の内側に吹き付けるブラスタ手段４には高速開閉弁４ａを設け、高速開閉弁４ａの動作により逆流ガスをパルス状に吹き付ける。フィルタ２の外側に供給する逆流ガスについては、フィルタ２の外面に沿って旋回流を形成するように吹き付ける。フィルタ２の内側と外側に加えて、ガス採取管１のガス採取口近傍１ａに逆流ガスを吹き付けてガス採取口１ａ近傍を洗浄することもできる。【選択図】図１
2006349397.tif 000002
【特許請求の範囲】
【請求項１】
ガスを採取するガス採取管と、ガス採取管の内部に配置された筒状のフィルタとを有するガス採取装置において、
フィルタを洗浄する逆流ガスをフィルタの内側と外側にそれぞれ吹き付けてフィルタの付着物を吹き飛ばすブラスタ手段を設けたことを特徴とするガス採取装置。
【請求項２】
逆流ガスをフィルタの内側に吹き付けるブラスタ手段に高速開閉弁を設け、高速開閉弁の動作により逆流ガスをパルス状に吹き付け可能とした請求項１に記載のガス採取装置。
【請求項３】
逆流ガスをフィルタの外側に吹き付けるブラスタ手段が、逆流ガスがフィルタの外面に沿って旋回流を形成するように配置されている請求項１又は２に記載のガス採取装置。
【請求項４】
逆流ガスをガス採取管のガス採取口近傍に吹き付けてガス採取口近傍の付着物を吹き飛ばすブラスタ手段をさらに設けた請求項１〜３のいずれかに記載のガス採取装置。
【請求項５】
逆流ガスをガス採取管のガス採取口近傍に吹き付けるブラスタ手段に高速開閉弁を設け、高速開閉弁の動作により逆流ガスをパルス状に吹き付け可能とした請求項４に記載のガス採取装置。
【請求項６】
逆流ガスをそれぞれのブラスタ手段に供給するガスタンクを一体的に設けた請求項１〜５のいずれかに記載のガス採取装置。
【請求項７】
ガスを採取するガス採取管と、ガス採取管の内部に配置された筒状のフィルタとを有するガス採取装置によるガス採取方法において、
フィルタの洗浄時に、逆流ガスをフィルタの内側と外側にそれぞれ吹き付けてフィルタの付着物を吹き飛ばすことを特徴とするガス採取方法。
【請求項８】
逆流ガスをフィルタの内側に吹き付けた後に、フィルタの外側に吹き付ける請求項７に記載のガス採取方法。
【請求項９】
フィルタの内側に吹き付ける逆流ガスをパルス状に吹き付ける請求項７又は８に記載のガス採取方法。
【請求項１０】
フィルタの外側に供給する逆流ガスを、フィルタの外面に沿って旋回流を形成するように吹き付ける請求項７〜９のいずれかに記載のガス採取方法。
【請求項１１】
フィルタの洗浄時に、逆流ガスをガス採取管のガス採取口近傍に吹き付ける請求項７〜１０のいずれかに記載のガス採取方法。
【請求項１２】
ガス採取管のガス採取口近傍に吹き付ける逆流ガスをパルス状に吹き付ける請求項１１に記載のガス採取方法。
【発明の詳細な説明】
【技術分野】
【０００１】
本発明は、例えば燃焼排ガス中のガス成分を連続して測定する際に分析用のガスを採取するためのガス採取装置及びガス採取方法に関する。
【背景技術】
【０００２】
かかるガス採取装置においては、通常、採取するガス中のダストやタール分を除去するためにフィルタが設けられており、フィルタにはそれらが付着するので、その付着物を定期的に洗浄する必要がある。従来、フィルタの洗浄方法としては、圧縮気体を逆流ガスとして用い逆洗操作により洗浄する方法が知られている（例えば特許文献１参照）。
【０００３】
しかし、とくに採取するガス中に多量のダストやタール分が含まれる場合、単に逆流ガスによって逆洗操作を行うだけでは十分な洗浄効果が得られず、フィルタに目詰まりが生じて短期間で交換を余儀なくされたり、あるいは、目詰まりを防止するために逆洗操作を頻繁に行う必要があった。このように従来の洗浄方法には、ランニングコスト、メンテナンス性の両方に問題があった。
【特許文献１】特開２００２−１３１１９８号公報
【発明の開示】
【発明が解決しようとする課題】
【０００４】
本発明が解決しようとする課題は、ガス採取装置において、採取するガス中のダストやタール分を除去するためのフィルタを効率的に洗浄できるようにしてメンテナンス性を向上させるとともにランニングコストを低減することにある。
【課題を解決するための手段】
【０００５】
上記課題を解決するため、本発明の要旨は、ガス採取管の内部に配置された筒状のフィルタの内側と外側にそれぞれ逆流ガスを吹き付けてフィルタの付着物を吹き飛ばし、フィルタを洗浄するようにしたことにある。
【０００６】
すなわち、本発明に係るガス採取装置は、ガスを採取するガス採取管と、ガス採取管の内部に配置された筒状のフィルタとを有するガス採取装置において、フィルタを洗浄する逆流ガスをフィルタの内側と外側にそれぞれ吹き付けてフィルタの付着物を吹き飛ばすブラスタ手段を設けたことを特徴とする。
【０００７】
また、本発明に係るガス採取方法は、ガスを採取するガス採取管と、ガス採取管の内部に配置された筒状のフィルタとを有するガス採取装置によるガス採取方法において、フィルタの洗浄時に、逆流ガスをフィルタの内側と外側にそれぞれ吹き付けてフィルタの付着物を吹き飛ばすことを特徴とする。
【０００８】
本発明において、逆流ガスは、フィルタの内側に吹き付けた後に、フィルタの外側に吹き付けることが好ましい。また、フィルタの内側に吹き付ける逆流ガスについては、高速開閉弁の動作によりパルス状に吹き付けて瞬時にフィルタに衝撃を与えるように吹き付けることが好ましい。さらに、フィルタの外側に供給する逆流ガスについては、フィルタの外面に沿って旋回流を形成するように吹き付けることが好ましい。これによって、フィルタから吹き飛ばされたダストやタール分等の付着物を効率的にガス採取装置外にパージすることができる。
【０００９】
また、フィルタの内側と外側に加えて、ガス採取管のガス採取口近傍に逆流ガスを吹き付けて、ガス採取口近傍を洗浄するようにすることもできる。このガス採取管のガス採取口近傍に吹き付ける逆流ガスについては、高速開閉弁の動作によりパルス状に瞬時に吹き付けて、その衝撃によりダストやタール分等の付着物を吹き飛ばすようにすることが好ましい。
【００１０】
さらに、本発明においては、逆流ガスをそれぞれのブラスタ手段に供給するガスタンクをガス採集装置に一体的に設けることが好ましく、これによって、ブラスタ手段の逆流ガス配管を短くすることができ、設備コストを低減できる。
【発明の効果】
【００１１】
本発明によれば、フィルタの内側と外側にそれぞれ逆流ガスを供給することで洗浄能力が向上し、フィルタのメンテナンス及び交換の頻度を低くすることができる。
【発明を実施するための最良の形態】
【００１２】
以下、図面に示す実施例に基づき本発明の実施の形態を説明する。
【００１３】
図１は、本発明に係るガス採取装置の実施例を示す構成図である。同図に示すガス採取装置は、廃棄物ガス化溶融炉の排ガスを採取してガス分析計に供給するように設けられたもので、排ガスは図中に矢印で示すように、排ガス吸込管７からガス採取管１のガス採取口１ａを経由して採取され、ガス採取管１の内部に配置された筒状のフィルタ２（金属製）を外側から内側に通過してガス分析計へ供給される。
【００１４】
このガス採取装置は、フィルタ２を洗浄するための逆流ガス（０．５ＭＰａの空気又は窒素ガス）を貯留するガスタンク３を一体的に備え、このガスタンク３から逆流ガスが第１〜第３のブラスタ手段４〜６（逆流ガス配管）を経由して供給される。
【００１５】
第１のブラスタ手段４はフィルタ２の内側に逆流ガスを吹き付けるように設けられ、第２のブラスタ手段５はフィルタ２の外側に逆流ガスを吹き付けるように設けられている。このうち、第２のブラスタ手段５は、逆流ガスがフィルタ２の外面に沿って旋回流を形成するように配置されている。第３のブラスタ手段６は、ガス採取管１のガス採取口１ａ近傍に逆流ガスを吹き付けるように設けられている。また、第１〜第３のブラスタ手段４〜６にはそれぞれ開閉弁として電磁弁４ａ〜６ａが設けられている。このうち、第１のブラスタ手段４の電磁弁４ａ及び第３のブラスタ手段６の電磁弁４ａとしては、高速で開閉可能な高速電磁弁（パルスジェット弁）を用いている。第２のブラスタ手段５の電磁弁５ａについては、通常の開閉速度のものでよい。なお、図１において電磁弁４ａは電磁弁５ａに重なって示されており、電磁弁４ａは電磁弁５ａの裏側に配置されている。
【００１６】
以上の構成において、フィルタ２の洗浄時には、第１及び第２のブラスタ手段４、５の電磁弁４ａ、５ａを開にして、フィルタ２の内側と外側に逆流ガスを吹き付け、フィルタ２に付着したダストやタール分を吹き飛ばす。このとき、フィルタ２の外側には旋回流で逆流ガスが供給されるので、吹き飛ばされたダストやタール分を効率的に炉内側にパージすることができる。さらに、第３のブラスタ手段６の電磁弁６ａを開にすれば、ガス採取口１ａ近傍にも逆流ガスが炉内側に向けて吹き付けられ、第３のブラスタ手段６の配管内及びガス採取口１ａ近傍に付着したダストやタール分を吹き飛ばして炉内側にパージすることができる。この操作を定期的に実施してフィルタ２やガス採取口１ａ近傍を定期的に洗浄する。
【００１７】
図２は、第１〜第３のブラスタ手段４〜６による洗浄（パージ）操作の具体例を示すタイムチャートである。同図に示す例では、まず、第１のブラスタ手段４の電磁弁４ａを開にし、逆流ガスをフィルタ２の内側に吹き込んでフィルタ２に付着したダストやタール分を吹き飛ばしてガス採取管１内に落とす。電磁弁４ａはパルス状にｔ１時間（ここでは１秒）だけ開にし、これをｔ３時間間隔で数回繰り返す。
【００１８】
次に、電磁弁４ａを閉にしてｔ３時間保持しガスタンク３内の圧力を回復させた後、第２のブラスタ手段５の電磁弁５ａを開にして、ガス採取管１内に落としたダストやタール分を炉内側に吹き飛ばしてパージする。ここで、電磁弁５ａは通常の開閉速度でよい。
【００１９】
次に、電磁弁５ａを閉にしてｔ３時間保持しガスタンク３内の圧力を回復させた後、第３のブラスタ手段６の電磁弁６ａを開にして、第３のブラスタ手段６の配管内及びガス採取口１ａ近傍に付着したダストやタール分を炉内側に吹き飛ばしてパージする。電磁弁６ａは、第１のブラスタ手段４の電磁弁４ａと同様に、パルス状にｔ１時間だけ開にし、これをｔ３時間間隔で数回繰り返す。
【００２０】
以上の操作をｔ４時間間隔で繰り返して行い、フィルタ２やガス採取口１ａ近傍の洗浄、パージを行う。
【００２１】
図３は、本発明に係るガス採取装置の他の実施例を示す構成図である。同図において、図１の実施例を同一の構成には同一の符号を付し、その説明を省略する。図３の実施例では、ガス採取管１を炉内側に向けて斜め下方に傾斜させ、これによってガス採取管１にダストやタール分が堆積しにくくなるようにしている。この実施例においても第１〜第３のブラスタ手段４〜６により逆流ガスを吹き込んでフィルタ２やガス採取口１ａ近傍の洗浄、パージを行う。
【００２２】
以上のように、本発明によれば、フィルタ２やガス採取口１ａ近傍に付着したダストやタール分を効率的に吹き飛ばして炉内側にパージすることができるので、フィルタ等のメンテナンスの頻度を低くすることができる。また、上記各実施例では、フィルタ２のフィルタ部分（金網）だけを取り外し可能としているのでメンテナンスを容易に行うことができ、交換時もフィルタ部分を交換するだけで済むのでランニングコストを低減することができる。
【図面の簡単な説明】
【００２３】
【図１】本発明に係るガス採取装置の実施例を示す構成図である。
【図２】本発明によるフィルタ等の洗浄（パージ）操作の具体例を示すタイムチャートである。
【図３】本発明に係るガス採取装置の他の実施例を示す構成図である。
【符号の説明】
【００２４】
１  ガス採取管
１ａ  ガス採取口
２  フィルタ
３  ガスタンク
４  第１のブラスタ手段
５  第２のブラスタ手段
６  第３のブラスタ手段
４ａ、５ａ、６ａ  電磁弁
７  排ガス吸込管
【図１】
2006349397.tif 000003
【図２】
2006349397.tif 000004
【図３】
2006349397.tif 000005